(57)【要約】【課題】  従来、建物の内部で掲示する場合、建物の壁面等の内装を傷つけることなく展示するのに充分な配慮が必要であるが、その配慮が成されていない実情である。【解決手段】  本発明は、スタンド基台１と、スタンド基台１に立設した一対の横断面コ字状のスタンド立設杆２と、スタンド立設杆２を挿通させる枠体３で掲示板Ａを囲うように組設され、枠体３は両側の枠体側面３ａと、枠体側面３ａの間に設けた内側接続板３ｂと外側接続板３ｃと、枠体側面３ａの内側端辺に突設させ掲示板支持片３ｄと、ネジ孔４ａを螺設したＬ字状金具４と、ネジ孔４ａに螺合させたフランジ状つまみ付きネジ５と、外側接続板３ｃに立設したＬ字状金具挿通片３ｅと、Ｌ字状金具挿通片３ｅに突設させたＬ字状金具固定片３ｆと、を備え、スタンド立設杆２の背面が枠体３の外側面から埋没状態とした。【選択図】  図４
2007041487.tif 000002
【特許請求の範囲】
【請求項１】
スタンド基台と、該スタンド基台に凹部側を対峙させて立設した一対の横断面コ字状のスタンド立設杆と、該スタンド立設杆を挿通させる夫々の枠体は角部を４５度に形成して突き合わせ相対する２対の枠体で掲示板を囲うように矩形状に組設されるものであって、前記夫々の枠体は間隔を有して対称に対峙させた両側の枠体側面と、該夫々の枠体側面の間の中程を仕切るように間隔を有して設けた内側接続板と外側接続板と、前記夫々の枠体側面の内側端辺の中方向に突設させ掲示板の両面を支持させる夫々の掲示板支持片と、両側にネジ孔を夫々螺設したＬ字状金具と、該Ｌ字状金具の夫々のネジ孔に進退自在に螺合させたフランジ状つまみ付きネジと、前記外側接続板に前記Ｌ字状金具を挿通させるスペースを有して立設した一対のＬ字状金具挿通片と、該一対のＬ字状金具挿通片の先端辺に内鍔状に突設させた夫々のＬ字状金具固定片と、を備え、前記一対のＬ字状金具挿通片の間にＬ字状金具を挿通させると共に夫々のＬ字状金具固定片の間にフランジ状つまみ付きネジを挿通させて螺着させ、前記夫々のスタンド立設杆を夫々の枠体の枠体側面と一対のＬ字状金具挿通片との間に挿通させた状態でスタンド立設杆の背面が枠体の外側面から埋没状態としたことを特微とする自立型掲示板の枠体。
【発明の詳細な説明】
【技術分野】
【０００１】  本発明は被掲示物を掲示するための自立型掲示板の枠体に関するものであり、更に、詳細には、被掲示物の外周を４辺の枠体で囲んだ掲示板を極めて容易に自立型のスタンドに掲示できる自立型掲示板の枠体に関するものである。
【背景技術】
【０００２】  従来、この種の被掲示物を掲示する掲示板は４辺を枠体で囲んで壁面等に取り付け、被掲示物を掲示面に画鋲、粘着テープ等で直接留めるか、或いは、透明板を用いて被掲示物の前面を押さえて掲示する等の手段が用いられているが、建物の内部で掲示する場合、建物の壁面等の内装を傷つけることなく展示するのに充分な配慮が必要であるが、その配慮が成されていないので苦慮している実情である。【０００３】  例えば、４辺の枠体の４角を連結させるものとしては、断面コ字形の額縁用フレーム２の後側縁に沿う内側に凸縁３を設けると共に該凸縁３のフレーム２の端末２ａから離間した位置に凹溝４を形成して成る額縁用フレーム２の端末２ａ、２ａ同士を接合する連結金具１であって、隣設二辺の各フレーム２内の端末２ａに挿着されるように各フレーム２の内幅とほぼ同様の幅を有する二辺の外板の夫々から内側へ向けて表板６と裏板７とが折曲形成され、該裏板７の各辺に内側を向けて形成された突出片９がフレーム２の凹溝４に嵌合された位置でフレーム２の端末２ａ、２ａ同士が接合状態となるようにしたもの（特許文献１参照）や、枠構成体２に設けられた皿ビスＢ’の軸部Ｂａの差し入れ孔２３が枠構成体２の底板部２０の内面側に枠構成体２の長さ方向に沿って形成された溝２４に連通するように形成されている。差し入れ孔２３を通じて連結体３のねじ孔３１に軸部Ｂａをねじ込まれた皿ビスＢ’の頭部Ｂｂの側面Ｂｄが差し入れ孔２３の内面に突き当った皿ビスＢ’の締め込み位置において、溝２４に皿ビスＢ’の軸部Ｂｂの突き出し基部Ｂｃが納まる構成としているもの（特許文献２参照）が開示されている。
【特許文献１】特開平１１−４７３７号公報
【特許文献２】特開２００１−２５２１５７号公報
【発明の開示】
【発明が解決しようとする課題】
【０００４】  然し乍ら、前述の特許文献１では、裏板７の各辺に内側を向けて形成された突出片９がフレーム２の凹溝４に嵌合された位置でフレーム２の端末２ａ、２ａ同士が接合状態となるようしており、図４に図示するように突出片９に紐１６を挿通締結して吊り下げるものであるが、紐１６を掛けるためのフックや釘を必要とするもので、更に、特許文献２では、、溝２４に皿ビスＢ’の軸部Ｂｂの突き出し基部Ｂｃが納まる構成としているものであるが、螺着させた時に皿ビスＢ’が枠構成体２の底板部２０から突出すると共に、組立及び分解する時にはドライバー等の工具を必要とするものであり、更には、建物の壁面等の内装を傷つけることなく展示するための配慮が成されていないものである。
【課題を解決するための手段】
【０００５】  本発明の自立型掲示板の枠体は、前述の課題に鑑み、鋭意研鑽の結果、スタンド基台と、スタンド基台に立設した一対の横断面コ字状のスタンド立設杆と、スタンド立設杆を挿通させる枠体は角部を４５度に形成して突き合わせ相対する２対の枠体で掲示板を囲うように組設されるものであって、枠体は間隔を有して対称に対峙させた枠体側面と、枠体側面の間を仕切るように設けた内側接続板と外側接続板と、枠体側面の内側端辺に突設させ掲示板の両面を支持させる掲示板支持片と、両側にネジ孔を螺設したＬ字状金具と、Ｌ字状金具のネジ孔に進退自在に螺合させたフランジ状つまみ付きネジと、外側接続板にＬ字状金具を挿通させるスペースを有して立設した一対のＬ字状金具挿通片と、一対のＬ字状金具挿通片の先端辺に内鍔状に突設させたＬ字状金具固定片と、を備え、Ｌ字状金具挿通片の間にＬ字状金具を挿通させると共にＬ字状金具固定片の間にフランジ状つまみ付きネジを挿通させて螺着させ、スタンド立設杆を枠体の枠体側面とＬ字状金具挿通片との間に挿通させた状態でスタンド立設杆の背面が枠体の外側面から埋没状態としたものである。
【発明の効果】
【０００６】  本発明の掲示板の枠体は、一対のＬ字状金具挿通片の間にＬ字状金具を挿通させると共に夫々のＬ字状金具固定片の間にフランジ状つまみ付きネジを挿通させて螺着させていることから、フランジ状つまみ付きネジを指の先で回動させて隣り合う枠体の組立又は分解ができるので、被掲示物の交換をする場合にも工具等が不要であり、且つ、容易に交換できると共に、スタンド立設杆を枠体の枠体側面と一対のＬ字状金具挿通片との間に挿通させた状態でスタンド立設杆の背面が枠体の枠体外側面に埋没状態としたことによって、枠体の枠体外側面に突出するものが存在せずデザイン状スマートなものであり、更に、スタンド立設杆の内側にフランジつまみ付きネジが位置することから微振動等によるフランジつまみ付きネジの弛みや抜落も皆無となるものであり、更には、スタンド基台を載置するのみで場所を選ぶことなく被掲示物が掲示できるものであり、画期的で実用性の高い発明である。
【発明を実施するための最良の形態】
【０００７】  以下、本発明の自立型掲示板の枠体の実施例の図面を用いて詳細に説明すると、図１は本発明の自立型掲示板の枠体の実施例の立設状態の斜視図であり、図２は本発明の自立型掲示板の枠体の実施例の分解斜視図であり、図３は本発明の自立型掲示板の枠体の実施例の枠体を説明するための断面説明図であり、図４は本発明の自立型掲示板の枠体の実施例の掲示状態を説明するための断面説明図である。【０００８】  本発明は被掲示物を掲示するための自立型掲示板の枠体に関するものであり、更に、詳細には、被掲示物の外周を４辺の枠体で囲んだ掲示板Ａを極めて容易に自立型のスタンドとして掲示できる自立型掲示板の枠体に関するものであり、スタンド基台１と、該スタンド基台１に凹部側を対峙させて立設した一対の横断面コ字状のスタンド立設杆２と、該スタンド立設杆２を挿通させる夫々の枠体３は角部を４５度に形成して突き合わせ相対する２対の枠体３で掲示板Ａを囲うように矩形状に組設されるものであって、前記夫々の枠体３は間隔を有して対称に対峙させた両側の枠体側面３ａと、該夫々の枠体側面３ａの間の中程を仕切るように間隔を有して設けた内側接続板３ｂと外側接続板３ｃと、前記夫々の枠体側面３ａの内側端辺の中方向に突設させ掲示板Ａの両面を支持させる夫々の掲示板支持片３ｄと、両側にネジ孔４ａを夫々螺設したＬ字状金具４と、該Ｌ字状金具４の夫々のネジ孔４ａに進退自在に螺合させたフランジ状つまみ付きネジ５と、前記外側接続板３ｃに前記Ｌ字状金具４を挿通させるスペースを有して立設した一対のＬ字状金具挿通片３ｅと、該一対のＬ字状金具挿通片３ｅの先端辺に内鍔状に突設させた夫々のＬ字状金具固定片３ｆと、を備え、前記一対のＬ字状金具挿通片３ｅの間にＬ字状金具４を挿通させると共に夫々のＬ字状金具固定片３ｆの間にフランジ状つまみ付きネジ５を挿通させて螺着させ、前記夫々のスタンド立設杆２を夫々の枠体３の枠体側面３ａと一対のＬ字状金具挿通片３ｅとの間に挿通させた状態でスタンド立設杆２の背面が枠体３の外側面から埋没状態としたことを特微とするものである。
【実施例】
【０００９】  即ち、本発明の自立型掲示板の枠体のスタンド基台１は、図１又は図２に図示する如く、矩形状の平板状のものであり、一対のスタンド立設杆２は横断面コ字状の杆で凹部側を対峙させてスタンド基台１の両端に立設させているものであり、図示する実施例では一対のスタンド立設杆２の間の下方に若干巾の桟体Ｂを横設して適宜な高さに嵩上げするようにしているものである。【００１０】  そして、枠体３は一般的には長さの相違する２対の枠体３を夫々相対させて矩形状に組設されるもので、隣り合う夫々の枠体３の角部を４５度に形成して突き合わせて、枠体３で囲った内側に被掲示物を掲示するための背板や透明部材を備えた掲示板Ａとするものである。【００１１】  次に、枠体側面３ａは図３及び図４に図示する如く、掲示板Ａの夫々の枠体３の両面となるもので、間隔を有して対称に対峙させた２枚の板状のもので、外側端辺はスタンド立設杆２を弾性を付与させて挟持させるように若干内側に湾曲させているものである。【００１２】  次いで、内側接続板３ｂと外側接続板３ｃとは夫々の枠体側面３ａの間の中程を仕切るように間隔を有して設けたもので、内側接続板３ｂには掲示板Ａの端辺を当接させるもので、外側接続板３ｃには後述する一対のＬ字状金具挿通片３ｅを立設させるものである。【００１３】  更に、夫々の掲示板支持片３ｄは夫々の枠体側面３ａの内側端辺に掲示板Ａの両面を支持させるために中方向に鍔状に突設させているもので、夫々の掲示板支持片３ｄの間に掲示板Ａを挿通させ先端辺で両側から支持するもので、掲示板Ａの先端辺は内側接続板３ｂに当接させるものである。【００１４】  更には、Ｌ字状金具４はこの種の枠体３を固定するのには汎用されているもので、細長い板状の金具を直角に折曲して両側に夫々ネジ孔４ａを螺設しているものである。【００１５】  そして、フランジ状つまみ付きネジ５はフランジ状のつまみ５ｂと棒ネジ部６ａから成るもので、前記Ｌ字状金具４の夫々のネジ孔４ａに進退自在に螺合させているものである。【００１６】  次に、一対のＬ字状金具挿通片３ｅは外側接続板３ｃに立設したもので、一対のＬ字状金具挿通片３ｅの間にはＬ字状金具４を挿通させるスペースを有すると共に、一対のＬ字状金具挿通片３ｅと外側の枠体側面３ａとの夫々の間には横断面コ字状のスタンド立設杆２の両側の辺を挿通させるスペースを有しているものである。【００１７】  更に、夫々のＬ字状金具固定片３ｆは一対のＬ字状金具挿通片３ｅの先端辺に内鍔状に突設させているもので、夫々のＬ字状金具固定片３ｆの間にはフランジ状つまみ付きネジ５の棒ネジ部５ａを挿通させると、夫々のＬ字状金具固定片３ｆの外方にはフランジ状つまみ５ｂが位置し、夫々のＬ字状金具固定片３ｆの内方にはＬ字状金具４が位置しており、フランジ状つまみ５ｂを回動させることでＬ字状金具４とフランジ状つまみ５ｂとでＬ字状金具固定片３ｆを確りと挟持するため隣り合う枠体３の固定ができるものである。【００１８】  そして、スタンド基台１を適宜箇所に載置して、立設された一対のスタンド立設杆２を枠体３の両側の枠体３の枠体側面３ａとＬ字状金具挿通片３ｅとの間に挿通させるものであるが、挿通させた状態でスタンド立設杆���の背面が枠体３の枠体外側面に埋没状態と成るものである。
【産業上の利用可能性】
【００１９】  本発明の自立型掲示板の枠体は建物の内部で掲示する場合、建物内部を傷つけることなく、スタンド基台を適宜箇所に載置して、立設された一対のスタンド立設杆を枠体の両側の枠体の枠体側面とＬ字状金具挿通片との間に挿通させるのみで被掲示物を掲示させることを可能とした自立型掲示板の枠体の提供である。
【図面の簡単な説明】
【００２０】
【図１】  図１は本発明の自立型掲示板の枠体の実施例の立設状態の斜視図でる。
【図２】  図２は本発明の自立型掲示板の枠体の実施例の分解斜視図である。
【図３】  図３は本発明の自立型掲示板の枠体の実施例の枠体を説明するための断面説明図である。
【図４】  図４は本発明の自立型掲示板の枠体の実施例の掲示状態を説明するための断面説明図である。
【符号の説明】
【００２１】Ａ      掲示板
Ｂ      桟体
１      スタンド基台
２      スタンド立設杆
３      枠体
３ａ    枠体側面
３ｂ    内側接続板
３ｃ    外側接続板
３ｄ    掲示板支持片
３ｅ    Ｌ字状金具挿通片
３ｆ    Ｌ字状金具固定片
４      Ｌ字状金具
４ａ    ネジ孔
５      フランジ状つまみ付きネジ
【図１】
2007041487.tif 000003
【図２】
2007041487.tif 000004
【図３】
2007041487.tif 000005
【図４】
2007041487.tif 000006